【手続補正書】
【提出日】平成27年5月25日(2015.5.25)
【手続補正１】
【補正対象書類名】特許請求の範囲
【補正対象項目名】全文
【補正方法】変更
【補正の内容】
【特許請求の範囲】
【請求項１】
クライアント装置からリソースサーバーへのアクセス要求を、該要求と関連して前記クライアント装置から受信した有効な認可情報に基づいて認可する認可サーバーであって、
認証情報とともにクライアント装置から受信した発行要求に応じて、前記リソースサーバーへアクセスするために利用される認可情報と、新たな認可情報を前記認証情報なしに再発行するために利用される更新認可情報とを発行する発行手段と、
更新認可情報とともに受信したリフレッシュ処理要求に応じて、新たな更新認可情報及び新たな認可情報を再発行し、再発行された認可情報及び更新認可情報に関連付けて、新たな更新認可情報及び認可情報を再発行するために前記発行手段により発行した更新認可情報を初回更新認可情報として記憶する再発行手段と、
更新認可情報とともに受信した無効化要求に応じて、受信した前記更新認可情報が初回更新認可情報として関連付けられている更新認可情報を無効化する無効化手段と
を有することを特徴とする認可サーバー。
【請求項２】
前記無効化手段は、さらに、受信した前記更新認可情報も更に無効化することを特徴とする請求項１に記載の認可サーバー。
【請求項３】
前記無効化手段は、受信した前記更新認可情報が初回更新認可情報として関連付けられている更新認可情報に加えて、受信した前記更新認可情報が初回更新認可情報として関連付けられた認可情報も無効化することを特徴とする請求項１または２に記載の認可サーバー。
【請求項４】
前記再発行手段は、新たな認可情報を再発行した場合、リフレッシュ処理要求とともに受信した更新認可情報を無効化することを特徴とする請求項１乃至３のいずれか一項に記載の認可サーバー。
【請求項５】
リソースサーバーに対して、認可サーバーにより発行された認可情報とともにアクセス要求を送信して前記リソースサーバーによるサービスを要求するクライアント装置であって、
前記認可サーバーにより発行された認可情報と、新たな認可情報を認証情報なしに再発行するために利用される更新認可情報と、前記認可情報を再発行するために前記認可サーバーが最初に発行した初回更新認可情報とを関連付けて記憶する手段と、
記憶した前記初回更新認可情報とともに無効化要求を前記認可サーバーに送信して、前記初回更新認可情報に関連付けられた更新認可情報の無効化を要求する無効化要求手段と
を有することを特徴とするクライアント装置。
【請求項６】
アクセス要求に対して、前記認可情報が無効であるとの応答を受信した場合、無効であると応答された前記認可情報に関連付けられた更新認可情報とともに、リフレッシュ処理要求を前記認可サーバーに対して送信する手段を更に有し、
前記リフレッシュ処理要求に対して、前記更新認可情報が無効であると応答された場合に、前記無効化要求手段による更新認可情報の無効化を要求することを特徴とする請求項５に記載のクライアント装置。
【請求項７】
クライアント装置からリソースサーバーへのアクセス要求を、該要求と関連して前記クライアント装置から受信した有効な認可情報に基づいて認可する認可サーバーと、前記リソースサーバーに対して、前記認可サーバーにより発行された認可情報とともにアクセス要求を送信して前記リソースサーバーによるサービスを要求するクライアント装置と、前記クライアント装置に対してサービスを提供する前記リソースサーバーとを含むサーバー連携システムであって、
前記認可サーバーは、
認証情報とともにクライアント装置から受信した発行要求に応じて、前記リソースサーバーへアクセスするために利用される認可情報と、新たな認可情報を前記認証情報なしに再発行するために利用される更新認可情報とを発行する発行手段と、
更新認可情報とともに受信したリフレッシュ処理要求に応じて、新たな更新認可情報及び新たな認可情報を再発行し、再発行された認可情報及び更新認可情報に関連付けて、新たな更新認可情報及び認可情報を再発行するために前記発行手段により発行した更新認可情報を初回更新認可情報として記憶する再発行手段と、
更新認可情報とともに受信した無効化要求に応じて、受信した前記更新認可情報が初回更新認可情報として関連付けられている更新認可情報、及び、受信した前記更新認可情報を無効化する無効化手段とを有し、
前記クライアント装置は、
前記認可サーバーにより発行された認可情報と、新たな認可情報を認証情報なしに再発行するために利用される更新認可情報と、前記認可情報を再発行するために前記認可サーバーが最初に発行した初回更新認可情報とを関連付けて記憶する手段と、
記憶した前記初回更新認可情報とともに無効化要求を前記認可サーバーに送信して、前記初回更新認可情報に関連付けられた更新認可情報の無効化を要求する無効化要求手段とを有することを特徴とするサーバー連携システム。
【請求項８】
クライアント装置からリソースサーバーへのアクセス要求を、該要求と関連して前記クライアント装置から受信した有効な認可情報に基づいて認可する認可サーバーとしてコンピューターを機能させるためのプログラムであって、
認証情報とともにクライアント装置から受信した発行要求に応じて、前記リソースサーバーへアクセスするために利用される認可情報と、新たな認可情報を前記認証情報なしに再発行するために利用される更新認可情報とを発行する発行手段と、
更新認可情報とともに受信したリフレッシュ処理要求に応じて、新たな更新認可情報及び新たな認可情報を再発行し、再発行された認可情報及び更新認可情報に関連付けて、新たな更新認可情報及び認可情報を再発行するために前記発行手段により発行した更新認可情報を初回更新認可情報として記憶する再発行手段と、
更新認可情報とともに受信した無効化要求に応じて、受信した前記更新認可情報が初回更新認可情報として関連付けられている更新認可情報を無効化する無効化手段と
してコンピューターを機能させるためのプログラム。
【請求項９】
リソースサーバーに対して、認可サーバーにより発行された認可情報とともにアクセス要求を送信して前記リソースサーバーによるサービスを要求するクライアント装置としてコンピューターを機能させるためのプログラムであって、
前記認可サーバーにより発行された認可情報と、新たな認可情報を認証情報なしに再発行するために利用される更新認可情報と、前記認可情報を再発行するために前記認可サーバーが最初に発行した初回更新認可情報とを関連付けて記憶する手段と、
記憶した前記初回更新認可情報とともに無効化要求を前記認可サーバーに送信して、前記初回更新認可情報に関連付けられた更新認可情報の無効化を要求する無効化要求手段と
してコンピューターを機能させるためのプログラム。
【請求項１０】
クライアント装置からリソースサーバーへのアクセス要求を、該要求と関連して前記クライアント装置から受信した有効な認可情報に基づいて認可する認可サーバーと、前記リソースサーバーに対して、前記認可サーバーにより発行された認可情報とともにアクセス要求を送信して前記リソースサーバーによるサービスを要求するクライアント装置と、前記クライアント装置に対してサービスを提供する前記リソースサーバーとを有するサーバー連携システムにおけるトークン管理方法であって、
前記認可サーバーが、認証情報とともにクライアント装置から受信した発行要求に応じて、前記リソースサーバーへアクセスするために利用される認可情報と、新たな認可情報を前記認証情報なしに再発行するために利用される更新認可情報とを発行する発行工程と、
前記クライアント装置が、前記認可サーバーにより発行された認可情報と、新たな認可情報を認証情報なしに再発行するために利用される更新認可情報と、前記認可情報を再発行するために前記認可サーバーが最初に発行した初回更新認可情報とを関連付けて記憶する工程と、
前記クライアント装置が、アクセス要求に対して、前記認可情報が無効であるとの応答を受信した場合、無効であると応答された前記認可情報に関連付けられた更新認可情報とともにリフレッシュ処理要求を前記認可サーバーに対して送信する工程と、
前記認可サーバーが、更新認可情報とともに受信したリフレッシュ処理要求に応じて、新たな更新認可情報及び新たな認可情報を再発行し、再発行された認可情報及び更新認可情報に関連付けて、新たな更新認可情報及び認可情報を再発行するために前記発行手段により発行した更新認可情報を初回更新認可情報として記憶する再発行工程と、
前記クライアント装置が、記憶した前記初回更新認可情報とともに無効化要求を前記認可サーバーに送信して、前記初回更新認可情報に関連付けられた更新認可情報の無効化を要求する無効化要求工程と、
前記認可サーバーが、更新認可情報とともに受信した無効化要求に応じて、受信した前記更新認可情報が初回更新認可情報として関連付けられている更新認可情報を無効化する無効化工程と
を有することを特徴とするトークン管理方法。